(57)【要約】【課題】  血圧値を光色により、類別して目盛部とスクリーン上に表示でき、また血圧と脈拍を同時に測定できる、発光表示機能を備えた血圧測定装置の提供。【解決手段】  血圧測定装置を、水銀柱と数個の発光素子からなる発光柱の目盛り部を含む数字表示器とマイクロプロセッサー、液晶表示盤、及び発光素子を含んだスクリーン表示器とで発光表示装置を構成する外、腕帯とホースを加えて構成する。この血圧測定装置によって、光色により、分類された測定値が数字表示板の目盛り部から読み取れ、さらにスクリーン表示器に表示される。この血圧測定装置はまた、脈拍も測定できる。【選択図】図１
0003113318.tif 000002
【実用新案登録請求の範囲】
【請求項１】
血圧測定装置において、
上蓋及び底蓋の一端が相互に樞着した形で、回動自在に開閉でき、且つ、上蓋と底蓋の連結部の両側がＵ字型のホルダーによって枢着され、前記上蓋と底蓋の対応面にはそれぞれ凹部を設け、二つの凹部が対面する形態をなした本体と、
前記上蓋の凹部に嵌め込まれ、前記底蓋の対応面に配置した、両側に目盛り部を設けた１本の水銀柱と、数個の排列した発光素子からなる１本の発光柱と、を有する数字表示器と、
前記底蓋の凹部に嵌め込まれ、高速計算、ロジック判断及び装置全体の作動を制御するマイクロプロセッサーと、前記マイクロプロセッサーの演算の結果による血圧の測定値を表示する液晶表示盤と、数個の発光素子と、を有するスクリーン表示器と、
腕帯と、前記腕帯を前記スクリーン表示器に接続し、使用時に前記腕帯に空気を送って充填させるホースと、を有する測定装置と、を含むことを特徴とする、
発光表示機能を備えた血圧測定装置。
【請求項２】
前記底蓋の開放された端部に、嵌合用のフックを設けたことを特徴とする、請求項１に記載の血圧測定装置。
【請求項３】
前記上蓋の開放された端部には嵌合槽が設けてあり、前記上蓋が底蓋と閉合したとき、前記底蓋のフックが前記上蓋の嵌合槽に嵌ることを特徴とする、請求項２に記載の血圧測定装置。  
【請求項４】
前記発光素子は、発光ダイオード（ＬＥＤ）であることを特徴とする、請求項１に記載の血圧測定装置。  
【請求項５】
前記各発光ダイオードは、それぞれ赤、黄、緑、白などの数色によって構成され、血圧の測定値によって光る発光ダイオードの色が異なることを特徴とする、請求項４に記載の血圧測定装置。  
【請求項６】
前記上蓋及び底蓋は、対応した矩形をなしていることを特徴とする、請求項１に記載の血圧測定装置。
【請求項７】
前記各発光ダイオードは、それぞれ赤、黄、緑、白の４色によって構成され、血圧の測定値が、収縮圧１４０ｍｍＨｇより大、拡張圧９０ｍｍＨｇ以上の場合には赤色の発光素子が光り、収縮圧１３１〜１３９ｍｍＨｇ、拡張圧は８５〜８９ｍｍＨｇの場合には黄色の発光素子が光り、収縮圧９０〜１３０ｍｍＨｇ、拡張圧は５０〜８４ｍｍＨｇの場合には緑色の発光素子が光り、収縮圧８９ｍｍＨｇ以下、拡張圧４９ｍｍＨｇ以下の場合には白色の発光素子が光ることを特徴とする、請求項４に記載の血圧測定装置。
【考案の詳細な説明】
【技術分野】
【０００１】
本考案は、血圧測定装置、特に水銀及び発光素子を有する表示装置と、スクリーン表示装置と、を備え、二種類の形態で表示できる、発光表示機能を備えた血圧測定装置に関するものである。
【背景技術】
【０００２】
人体の心臓の房室、動静脈の各部位における血圧は、お互いに相異なるもので、通常血圧とは、体験できる大型の動脈、例えば肱動脈、頚動脈や腿部動脈などの血圧を指す。このような各所の血圧は大概、主動脈の血圧に近いもので、由来、水銀柱の高さ（ｍｍＨｇ）で表される。正常な血圧は、正常な血液循環を表し、体内の幾多の機能により、血圧を正常値に保って、各器官や組織に充分な血液量を供給し、正常な新陳代謝を促すのである。血液は高すぎても、低すぎても大事に至るので、生物学上重大な意義を有するものである。
【０００３】
動脈の血圧測定には、例えば間接法を用いられる。測定装置は、空気が吹き込まれる腕帯とこれに連結した測圧計とを含んでいる。血圧を測定する場合には、腕帯を被測者の上膊部に巻き、徐々に空気を送入して肱動脈の血行を阻止し、次いで、腕帯内の空気を徐々に放出しながら聴診器を肱動脈の位置に当て、肱動脈中の血流が圧迫されている個所を通過するときに起こる振動音の測定値を収縮圧とし、更に、腕帯内の空気を放出して、振動音が大きく長い低音になった際の測定値を拡張圧とする。腕帯内の空気を完全に放出すれば、血管は圧迫されず、血流は阻害力がなく順行して振動音が消失する。
【０００４】
このように動脈中の血圧は、心臓の収縮と拡張により昇降するもので、収縮期の血圧の最高値を収縮圧、拡張期の血圧の最低値を拡張圧、両者の差を脈圧と定義するのである。
【考案の開示】
【考案が解決しようとする課題】
【０００５】
現在、一般的に使用されている水銀血圧計は、水銀の比重が大きいため、各期間における瞬間の変化を迅速且つ正確に捉えて血圧値として反映し難い。また、水銀表示装置の水銀柱が故障した場合には、その表示装置は効力を失ってしまう。
【０００６】
以上の事情に鑑み、現在通用している血圧計の表示装置を改善せんがため、本願の考案者は多年当業に従事している経験に基づき、長期苦心研鑚の結果、遂に本考案の血圧測定装置の開発の成功を見るに至ったのである。
【０００７】
本考案の目的は、そのスクリーン表示器の中に数個の発光素子を設け、これら発光素子の光の表示により、使用者が容易にその光色により、血圧値が得られる発光表示機能を備えた血圧測定装置を提供することである。
【０００８】
本考案のもう１つの目的は、１つの数字表示器及び１つのスクリーン表示器を備え、その中の１つの表示器が故障した場合でも、血圧値の測定に支障がない、発光表示機能を備えた血圧測定装置を提供することである。
【０００９】
本考案の更にもう１つの目的は、スクリーン表示器の演算アンプによって血圧及び脈拍を測定できる機能を持つ、発光表示機能を備えた血圧測定装置を提供することである。
【００１０】
本考案の又もう１つの目的は、装置の本体に水銀表示器及びスクリーン表示器を備え、且つスクリーン表示器の中に赤、黄、緑、白などの色を発光する数個の発光素子を設け、使用者の各種の需要に応じて表示できる発光表示機能を備えた血圧測定装置を提供することである。
【課題を解決するための手段】
【００１１】
上記の目的を達成できる血圧測定裝置は、上蓋及び底蓋の一端が相互に樞着した形で、回動自在に開閉でき、且つ、上蓋と底蓋の連結部の両側がＵ字型のホルダーによって枢着され、前記上蓋と底蓋の対応面にはそれぞれ凹部を設け、二つの凹部が対面する形態をなした本体と、前記上蓋の凹部に嵌め込まれ、前記底蓋の対応面に配置した、両側に目盛り部を設けた１本の水銀柱と、数個の排列した発光素子からなる１本の発光柱と、を有する数字表示器と、前記底蓋の凹部に嵌め込まれ、高速計算、ロジック判断及び装置全体の作動を制御するマイクロプロセッサーと、前記マイクロプロセッサーの演算の結果による血圧の測定値を表示する液晶表示盤と、数個の発光素子と、を有するスクリーン表示器と、腕帯と、前記腕帯を前記スクリーン表示器に接続し、使用時に前記腕帯に空気を送って充満させるホースと、を有する測定装置と、を含むことを特徴とする。
【考案の効果】
【００１２】
本考案が提供する血圧測定装置は、従来の技術と比較した場合、更に下記のような長所がある。
本実施例で述べた血圧計の発光表示装置は、数字表示器の以外に別途に液晶表示盤を設けており、これによって使用者は容易に血圧値を知ることができる。
スクリーン表示器の中に数個の発光素子が設けられ、この発光素子の発光とその光色によって、使用者は血圧値を知ることができる。
本考案による血圧計の発光表示装置は、数字表示器とスクリーン表示器を含んでいるので、両表示器の中の１つが故障しても血圧計としての機能を失わない。
本考案による二重機能を兼ねた血圧計の発光表示装置の中、水銀柱の設計は簡単であり、単純に表示機能を発揮する一方、発光柱の設計は使用者に新規な表示機能を提供する。
本考案による血圧計の発光表示装置の中のスクリーン表示器に含まれたマイクロプロセッサーは、血圧測定と脈拍測定２つの機能を兼ねている。
【考案を実施するための最良の形態】
【００１３】
本考案が提供する血圧測定装置は、図１、２に示すように、本体１内に数字表示器２、スクリーン表示器３及び測定装置４を収納して構成され、血圧の測定とその結果の表示に供するものである。
【００１４】
本体１は、その一端が回動自在に相互に枢着し、対向した形態で矩形をなす上蓋１１及び底蓋１２を備えている。上蓋１１及び底蓋１２の連結部の両側は、Ｕ字型のホルダー５によって枢着され、上蓋１１及び底蓋１２の対応面にはそれぞれ、凹部１１１及び１２１が設けられ、且つ、上蓋１１及び底蓋１２のホルダー５から離れた位置にはそれぞれ、嵌合槽１１２及びフック１２２を設けられている。これにより、上蓋１１及び底蓋１２を閉じた際に、底蓋１２のフック１２２が上蓋１１の嵌合槽に嵌まり、上蓋１１及び底蓋１２が相互に離れることがないように構成されている。  
【００１５】
数字表示器２は、上蓋１１の凹部１１１の中を満たすように嵌め込まれ、その表面が上蓋１１とほぼ平行に保たれている。数字表示器２と底蓋１２の対応面には、１本の水銀柱２１と１本の発光柱２３が設けられている。水銀柱２１の中には水銀２１１が充填されてあり、水銀柱２１の両側には目盛りの刻まれた目盛り部２２が設けられている。これにより、水銀柱２１の水銀２１１が圧力を受けて上昇した際の目盛り部２２の目盛りによって測定値を知らせる。発光柱２３は、数個の発光素子２４の排列によりなり、下から上に向かって順次発光する。発光柱２３の発光の高さは、スクリーン表示器３に設けたマイクロプロセッサー３１により制御され、圧力を受けて上昇した水銀２１１の高さと同一の高さに保たれるように構成されている。
【００１６】
スクリーン表示器３は、底蓋１２の凹部１２１に嵌め込まれてあり、数字表示器２と対応して連動するように構成されている。スクリーン表示器３は、マイクロプロセッサー３１と液晶表示盤３２と複数個、例えば８個の発光素子３３とを備えている。マイクロプロセッサー３１が装置全体の作動を制御し、液晶表示盤３２と発光素子３３とで血圧値を表示する。発光素子３３は、ここでは、発光ダイオード（ＬＥＤ）であり、赤、黄、緑、白などの数色よりなり、血圧の測定値によって光る発光素子３３の色が異なるように構成されている。例えば、収縮圧１４０ｍｍＨｇより大、拡張圧９０ｍｍＨｇ以上の場合には赤色の発光素子３３が光り、収縮圧１３１〜１３９ｍｍＨｇ、拡張圧は８５〜８９ｍｍＨｇの場合には黄色の発光素子３３が光り、収縮圧９０〜１３０ｍｍＨｇ、拡張圧は５０〜８４ｍｍＨｇの場合には緑色の発光素子３３が光り、収縮圧８９ｍｍＨｇ以下、拡張圧４９ｍｍＨｇ以下の場合には白色の発光素子３３が光るといった具合に、世界衛生組織（ＷＨＯ）の規定する血圧範囲数値に基づいて設定することができる。  
【００１７】
測定装置４は、腕帯４１と、この腕帯４１をスクリーン表示器３に接続するホース４２と、を備えている。使用時には、ホース４２から腕帯４１に空気を送って充填する。その測定と表示の動作を表１に示す。
【００１８】
【表１】
0003113318.tif 000003
【００１９】
スクリーン表示器３は、図３に示すように、腕帯４１からの圧力を感知する圧力センサー３１１と、圧力センサー３１１の脈拍アナログ信号を受信する脈拍演算アンプ３１２と、圧力センサー３１１の血圧アナログ信号を受信する血圧演算アンプ３１３と、脈拍アナログ信号及び血圧アナログ信号をそれぞれ、脈拍演算アンプ３１２及び血圧演算アンプ３１３から受信してデジタル化するアナログ・デジダル変換器３１４と、を有している。
【００２０】
圧力センサー３１１が血圧を感知すると、圧力センサー３１１からの脈拍アナログ信号及び血圧アナログ信号がそれぞれ、脈拍演算アンプ３１２及び血圧演算アンプ３１３を介してアナログ・デジタル変換器３１４へ送られる。さらに、アナログ・デジタル変換器３１４によってデジタル化されたこれらの信号が、マイクロプロセッサー３１の指令によって、数字表示器２の発光素子２４と、スクリーン表示器３の発光素子３３及び液晶表示盤３２と、に伝送され、スクリーン表示器３の液晶表示盤３２に血圧の測定値が数字で表示されると共に、数字表示器２の発光柱２３（発光素子２４）及びスクリーン表示器３の発光素子３３がそれぞれ光ることにより、血圧の測定値を表示する。
【００２１】
水銀柱２１の水銀２１１は、血圧が作用すると上昇するため、使用者は水銀２１１の高さに対応する目盛り部２２の目盛りよって、血圧の測定値を知ることができる。さらに、前述のように、スクリーン表示器３のマイクロプロセッサー３１が同調して圧力センサー３１１からの信号を処理し、数字表示器２の発光柱２３（発光素子２４）と、スクリーン表示器３の発光素子３３及び液晶表示盤３２にその測定値を表示するため、これによっても使用者は血圧の測定値を知ることができる。  
【００２２】
以上、本考案の実施の形態について具体的に説明したが、このような実施の形態は、本願の実用新案登録請求の範囲を制限するものでなく、凡そ本考案の技術精神を逸脱せずなされた同等効果の実施、又は変更は、本願の実用新案登録請求の範囲に含まれるものとする。  
【図面の簡単な説明】
【００２３】
【図１】本考案に係る発光表示機能を備えた血圧測定装置の斜視図
【図２】本考案に係る発光表示機能を備えた血圧測定装置の分解斜視図
【図３】本考案に係る発光表示機能を備えた血圧測定装置の作動を説明するための図
【符号の説明】
【００２４】
１：本体
２：数字表示器
３：スクリーン表示器
４：測定装置
１１：上蓋
１２：底蓋
２１：水銀柱
２２：目盛り部
２３：発光柱
２４：発光素子
３１：マイクロプロセッサー
３２：液晶表示盤
４１：腕帯
４２：ホース
１１１、１２１：凹部
１１２：嵌合槽
１２２：フック
２１１：水銀
３１１：圧力センサー
３１２：脈拍演算アンプ
３１３：血圧演算アンプ
【図１】
0003113318.tif 000004
【図２】
0003113318.tif 000005
【図３】
0003113318.tif 000006